(57)【要約】【課題】  店舗や接客要員が不要で、簡素な仕組みで実現でき、商品引渡しおよび決済を容易にかつ従来のフリーマーケットと同様にリアルに行うことができ、コンピュータで情報管理できる無人フリーマーケットシステムを提供する。【解決手段】  この無人フリーマーケットシステムは、それぞれ自動施錠装置を有する内視可能な扉１３ａ〜１３ｇをそれぞれ備えた複数の商品収納陳列ケース１２ａ〜１２ｇと、複数の商品収納陳列ケースのそれぞれを指定する特定情報を入力するための入力手段（番号入力部２２）と、決済実行手段（２３〜２５）と、商品収納陳列ケース内に商品１５が収納されているとき、上記入力手段で入力された特定情報に関連する商品収納陳列ケースにおける扉の自動施錠装置１４ａ〜１４ｇを、決済実行手段による支払い手続が完了したことを条件に解除する制御手段（上位制御装置２８）とを備えて構成される。【選択図】    図１
2007011510.tif 000002
【特許請求の範囲】
【請求項１】
自動施錠装置を有する内視可能な扉をそれぞれ備えた複数の商品収納陳列ケースと、
前記複数の商品収納陳列ケースのそれぞれを指定する特定情報を入力するための入力手段と、
決済実行手段と、
前記商品収納陳列ケース内に商品が収納されているとき、前記入力手段で入力された特定情報に関連する前記商品収納陳列ケースにおける前記扉の前記自動施錠装置を、前記決済実行手段による支払い手続が完了したことを条件に解除する制御手段と、
から成ることを特徴とする無人フリーマーケットシステム。
【請求項２】
前記商品収納陳列ケース内に商品が収納されていないとき、前記制御手段は、前記入力手段で入力された特定情報で指定される前記商品収納陳列ケースにおける前記扉の前記自動施錠装置を、出品者による商品収納手続実行手段を介した商品収納手続が完了したことを条件に解除し、前記扉を閉めた後に施錠することを特徴とする請求項１記載の無人フリーマーケットシステム。
【請求項３】
管理サーバを備え、
前記出品者に基づく前記商品収納実行手段を介した前記商品収納手続は、前段階に実行される、前記出品者によるＷｅｂネットワークを経由した前記管理サーバに対する身元保証に基づく会員登録手続、および前記出品者による前記Ｗｅｂネットワークを経由した出品登録手続とを含むことを特徴とする請求項２記載の無人フリーマーケットシステム。
【請求項４】
前記管理サーバは、出品商品の出品状態が一定期間を経過すると、前記出品者に引取り要請通知を送信することを特徴とする請求項３記載の無人フリーマーケットシステム。
【請求項５】
前記複数の商品収納陳列ケースを備える陳列装置は駅の近傍に配置されることを特徴とする請求項１〜４のいずれか１項に記載の無人フリーマーケットシステム。
【発明の詳細な説明】
【技術分野】
【０００１】
本発明は無人フリーマーケットシステムに関し、特に、店舗および接客要員が不要となりかつ商品引渡しおよび決済の手続が容易な無人フリーマーケットシステムに関する。
【背景技術】
【０００２】
従来のフリーマーケットにおいては、出品者は、通常、商品を陳列する陳列棚や陳列場所を備えた店舗を用意し、さらに接客要員を配置して購入者に対して応対するようにしている。接客要員は出品者自身が行うとしても、店舗スペースおよび店舗の確保は必須である。従って、一般的には相対的に少ない品数の商品を副業的に扱うことが多いフリーマーケットの出品者にとって経費の負担が大きいものであった。そこで、従来のフリーマーケットによる販売活動は専ら休日に特定の広場や公共施設等を利用して、イベント的に限定的に行われていた。
【０００３】
商品の取引方法または販売方法等を扱った従来の先行技術文献として下記の特許文献１を挙げる。特許文献１に記載される製品の取引方法は、新品および使用済み品を、価格と品質によって等級付けてインターネット上で統一的に在庫情報を開示するようにしている。購入希望者は、希望予算と等級に合致する品目を検索し、取引を成立させる。取引の成立しなかった使用済み品は自動的に処理される。この商品の取引方法によれば、商品自体は具体的に購入希望者には展示または陳列されず、購入希望者には見えない別途の保管場所に置かれており、あくまでもインターネットにおける情報開示手段および申込む手段等の仕組みに基づく情報開示・処理工程を提供するものである。特許文献１に記載される仕組みは、製品や使用済み商品等の大規模な販売または取引システムを提供するものであり、インターネットを部分的に利用して構成したフリーマーケットの仕組みを提供するものではない。
【特許文献１】特開２００１−３５０９４８号公報
【発明の開示】
【発明が解決しようとする課題】
【０００４】
店舗や接客要員が不要であって、インターネットを利用して出品希望の受付けや購入可能所品の所在場所の情報提供を取り扱う一方で、商品自体の展示、受渡し、代金支払い（決済手続）等は、現実に商品収納陳列ケースで実際に行い、基本的にフリーマーケットの仕組み・関係を実現することが望ましい。
【０００５】
本発明の目的は、上記の課題に鑑み、店舗や接客要員が不要であって、簡素な仕組みで実現でき、商品引渡しおよび決済を容易にかつ従来のフリーマーケットと同様にリアルに行うことができ、さらに出品者からの必要情報や購入希望者への必要情報はインターネットを利用して送受できかつコンピュータで情報管理できる無人フリーマーケットシステムを提供することにある。
【課題を解決するための手段】
【０００６】
本発明に係る無人フリーマーケットシステムは、上記の目的を達成するために、次のように構成される。
【０００７】
第１の無人フリーマーケットシステム（請求項１に対応）は、それぞれ自動施錠装置を有する内視可能な扉をそれぞれ備えた複数の商品収納陳列ケースと、複数の商品収納陳列ケースのそれぞれを指定する特定情報を入力するための入力手段と、決済実行手段と、商品収納陳列ケース内に商品が収納されているとき、上記入力手段で入力された特定情報に関連する商品収納陳列ケースにおける扉の自動施錠装置を、決済実行手段による支払い手続が完了したことを条件に解除する制御手段とを備えて構成される。
【０００８】
上記の第１の無人フリーマーケットシステムによれば、通常の店舗施設、店舗設置スペース、接客要員が不要であり、決済も容易に行うことができ、出品者や購入予定者にとって非常に利用のしやすいシステムである。特に、駅の近傍の空きスペースを利用して陳列装置を設置すれば、利便性も非常に高いものになる。
【０００９】
第２の無人フリーマーケットシステム（請求項２に対応）は、上記の第１のシステム構成において、好ましくは、商品収納陳列ケース内に商品が収納されていないとき、制御手段は、入力手段で入力された特定情報で指定される商品収納陳列ケースにおける扉の自動施錠装置を、出品者による商品収納手続実行手段を介した商品収納手続が完了したことを条件に解除し、扉を閉めた後に施錠することで特徴づけられる。各商品収納陳列ケースに自動的に動作する施錠装置を設けたため、商品の管理の安全性が高くなり、かつ操作性が高いものとなる。
【００１０】
第３の無人フリーマーケットシステム（請求項３に対応）は、上記の第２のシステム構成において、好ましくは、さらに管理サーバを備え、出品者に基づく商品収納実行手段を介した商品収納手続は、前段階に実行される、出品者によるＷｅｂネットワークを経由した管理サーバに対する身元保証に基づく会員登録手続、および出品者によるＷｅｂネットワークを経由した出品登録手続とを含むことを特徴とする。
【００１１】
第４の無人フリーマーケットシステム（請求項４に対応）は、上記の第３のシステム構成において、好ましくは、管理サーバは、出品商品の出品状態が一定期間を経過すると、出品者に引取り要請通知を送信することを特徴とする。
【００１２】
第５の無人フリーマーケットシステム（請求項５に対応）は、上記の各システム構成において、好ましくは、複数の商品収納陳列ケースを備える陳列装置は駅の近傍に配置されることを特徴とする。駅の利便性を利用することができ、利用性が高くなる。
【発明の効果】
【００１３】
本発明によれば、複数の商品収納陳列ケースを備えた陳列装置を駅等の付近に設置し、出品者が適宜に商品をいずれかの商品収納陳列ケースに収納し、購入予定者が、自身の気にいった商品を特定し商品代金を陳列装置に設けられた決済手段を利用して支払うことによりその場で商品を手に入れることができるため、店舗や接客要員が不要であり、簡素な仕組みで無人フリーマーケットを実現することができ、商品引渡しおよび決済を容易にかつ従来のフリーマーケットと同様にリアルに行うことができる。さらに本発明に係る無人フリーマーケットシステムによれば、出品者からの必要情報や購入希望者への必要情報はインターネットを利用して送受でき、かつコンピュータで情報管理できるという効果が発揮される。
【発明を実施するための最良の形態】
【００１４】
以下に、本発明の好適な実施形態（実施例）を添付図面に基づいて説明する。
【００１５】
図１〜図３を参照して本発明に係る無人フリーマーケットシステムの実施形態を説明する。この実施形態では、商品収容陳列ケースを備える陳列装置は駅の近傍に設置された装置例を示している。図１は無人フリーマーケットシステムの全体構成を示し、図２は陳列装置の構成を示し、図３はシステム全体の動作を説明するためのフローチャートを示す。
【００１６】
図１において、陳列装置１１は駅舎の内部または外部の駅の近傍の場所に設置される。陳列装置１１は、例えばサイズの異なる複数の商品収容陳列ケース１２ａ〜１２ｇを備える。商品収容陳列ケース１２ａ〜１２ｇは、それぞれ、ロッカー形態の陳列ケースである。商品収容陳列ケース１２ａ〜１２ｇのそれぞれの正面開口部には、ケース内部を外から視認できる透明な扉、すなわち内視可能な扉１３ａ〜１３ｇが設けられている。扉１３ａ〜１３ｇのそれぞれには自動施錠装置１４ａ〜１４ｇが付設されている。
【００１７】
図示された商品収容陳列ケース１２ａ〜１２ｇのそれぞれには、そのサイズに応じた実際の商品１５が、出品者による提供に基づいて収容される。なお図１では商品１５が実際に収容され、展示・陳列されている商品収容陳列ケースもあるし、現時点の段階で商品が収容されていない空き状態の商品収容陳列ケースもある。商品収容陳列ケースの中に収容された商品１５は、扉１３ａ〜１３ｇが透明であるために、収容しかつ扉を閉じた段階で、透明部分を通して外側から商品１５を見ることができ、展示・陳列が実施されることになる。商品１５の例としては、カバン、人形、造花等である。
【００１８】
上記の陳列装置１１それ自体、および陳列装置１１における複数の商品収容陳列ケース１２ａ〜１２ｇのそれぞれは、管理の上で、これらの各要素を特定するための特定情報（管理コード）が割り当てられている。図示例において陳列装置１１は１台しか示されていないが、実際には、多数の設置場所を利用して多数の陳列装置１１が配置されている。多数の陳列装置１１のそれぞれには管理用の特定情報が割り当てられている。
【００１９】
さらに、上記の図１と図２に基づき、陳列装置１１の制御系を含めた内部構成を説明する。
【００２０】
商品収容陳列ケース１２ａ〜１２ｇのそれぞれの扉１３ａ〜１３ｇの自動施錠装置１４ａ〜１４ｇの施錠・開錠動作は、錠制御装置２１によって制御される。錠制御装置２１は、外部からの指令信号、出品者により与えられる入力情報、または購入者による商品収容陳列ケースの特定手続（特定情報の提供）と決済手続（決済完了情報の提供）の実行に係る指令信号等に基づいて、自動施錠装置１４ａ〜１４ｇの動作状態を制御する。外部からの指令信号は、後述するごとく管理センタ４０からインターネット５０Ａを経由して供給される。
【００２１】
陳列装置１１の正面部には、番号入力部２２と紙幣供給部２３と貨幣（硬貨）供給部２４とカード挿入部（または鉄道ＩＣカードや携帯電話等による情報入力部）２５とレシート・釣銭排出部２６と表示部２７を備えている。これらの要素のそれぞれは、図２において、構成要素としてブロックで描かれている。
【００２２】
上記の番号入力部２２は、出品者が適当な商品収容陳列ケースに自分の商品を収容するとき、または購入希望者が陳列されている商品の中から購入しようとする商品を選択するためその商品収容陳列ケースを特定するときにおいて、商品収容陳列ケースを特定する目的で特定情報を入力するための入力手段である。また上記の紙幣供給部２３と貨幣供給部２４とカード挿入部２５は、商品の購入を希望する購入者が料金支払いすなわち決済を行うための決済手段である。
【００２３】
番号入力部２２で入力された番号情報等の処理、紙幣供給部２３と貨幣供給部２４とカード挿入部２５で実行された紙幣等の投入に対する処理および決済処理、レシート・釣銭排出部２６によるレシート・釣銭処理、表示部２７における必要情報の表示処理等に関する制御は、上位制御装置２８によって実行される。
【００２４】
上記の上位制御装置２８は、前述した錠制御装置２１に対しても指示・指令を出すと共に、通信部２９を介しかつインターネット５０または専用回線を経由して前述の管理センタ４０と接続されており、信号の送受を行うように構成されている。
【００２５】
次に管理センタ４０について説明する。管理センタ４０には、Ｗｅｂサーバ４１と管理サーバ４２と管理データベース４３が設けられている。Ｗｅｂサーバ４１は、出品者（または出品希望者）４４、購入者（または購入希望者）４５等が、インターネット対応の携帯電話またはパソコン等のインターネット端末装置４６Ａ，４６Ｂを用いて、インターネット５０Ｂを経由して管理センタ４０に対してアクセスするときに所要のホームページを提供して出品希望者等に応対する機能を有する。管理サーバ４２は、広域に設置された多数の上記陳列装置１１の管理を行う。管理内容は、出品側に関しては、多数の陳列装置１１のそれぞれにおける各商品収容陳列ケースにおける出品物の内容、出品期間、販売価格、出品者の情報、収納時期、空きの商品収容陳列ケース、現在および将来の空きの予定、すべての過去の出品履歴等である。購入側に関しては、購入時期、決済状態、過去のすべての購入履歴等である。管理サーバ４２のデータ処理で扱う各種のデータは管理データベース４３に記録される。
【００２６】
次に、上記の図１および図２を参照しつつ、図３のフローチャートに従って本実施形態に係る無人フリーマーケットシステムの代表的な動作説明を行う。図３のフローチャートは、出品者（出品希望者）４４（実際の行為または端末装置４６Ａの操作）、管理センタ４０の処理動作、陳列装置１１の処理動作、購入者（購入希望者）４５（実際の行為または端末装置４６Ｂの操作）とを関係づけて構成された動作関係を示している。
【００２７】
この例では、出品者４４が商品の出品を行い、購入希望者４５が当該商品を購入するという前提で説明を行う。
【００２８】
出品者４４は、本実施形態に係る無人フリーマーケットシステムを利用するに当り、最初に身元を補償して会員登録手続を行う（ステップＳ１０１、手順Ｐ１１）。会員登録の手続は、出品者４４が端末装置４６Ａを利用して管理センタ４０のＷｅｂサーバ４１にアクセスし、会員登録用ホームページを取り出し、会員登録手続を行う。管理センタ４０のＷｅｂサーバ４１は、登録手続を実行した出品者４４からのデータを受けて登録手続を完了する（ステップＳ２０１）。登録手続が完了すると、出品者４４の端末装置４６Ａに対して登録手続完了の通知が行われ（ステップＳ２０２）、端末装置４６Ａでは受信が行われる（ステップＳ１０２）。登録手続完了の通知（ステップＳ２０２）では、出品者４４のコードやパスワード等のデータが与えられる。
【００２９】
管理センタ４０において、上記の登録手続の完了のステップＳ２０１では、Ｗｅｂサーバ４１から管理サーバ４２に対して出品者４４に関する情報が提供され、管理データベース４３に保存される。
【００３０】
その後、出品者４４は端末装置４６Ａにより出品登録の手続を実行する（ステップＳ１０３）。出品登録の手続は、管理センタ４０のＷｅｂサーバ４１に対して行う。Ｗｅｂサーバ４１では、出品登録の申込みがあったときには、これを受け付け、出品登録用ホームページを出品者４４の端末装置４６Ａに提供する（ステップＳ２０３）。出品者４４は、端末装置４６Ａに表示される出品登録用ホームページにおいて、出品者４４を特定する情報を入力し、出品したい商品情報を与え、さらに出品したい場所に関する自動店舗情報（陳列装置１１の情報）を指定する（ステップＳ１０４）。管理センタ４０では、受信する（ステップＳ２０４）と、管理サーバ４２が、出品者４４が登録会員であるかを確認し（ステップＳ２０５）、次に指定された陳列装置１１において商品収容陳列ケースに空きがあるか否かを確認する（ステップＳ２０６）。空きがある場合に、利用予約を行うと共に出品者４４に利用できることを通知する（ステップＳ２０７）。出品者４４はこの通知を受信する（ステップＳ１０５）。この場合に、後において、商品陳列を予約した陳列装置１１のいずれかの商品収容陳列ケースに商品を陳列させるため、携帯電話番号または鉄道ＩＣカード等を鍵として、登録することが可能である。
【００３１】
以上の手続が完了した状態において、出品者４４は、陳列装置１１の設置場所に出向き、上記の鍵を、陳列装置１１のカード挿入部（情報入力部）２５を介して与える（ステップＳ１０６）。それにより、所定の商品収納陳列ケースの扉の自動施錠装置が解除され（ステップＳ３０１）、出品者４４は当該扉を開くことが可能となる（ステップＳ３０２）。出品者４４は、その中に商品を収納する（ステップＳ１０７）。その後、出品者４４は扉を閉めると、自動施錠装置が施錠動作することによって錠がかかる（ステップＳ３０３）。さらにその後、出品者４４はレシート・釣銭排出部２６から預かり証を受け取る（ステップＳ３０４）。
【００３２】
次に購入者４５による購入手順を説明する。通常、購入者４５は、駅の付近に設置された陳列装置１１を直接に見て出品されている商品を確認する。陳列装置１１の商品収納陳列ケース１２ａ〜１２ｇのいずれかに、購入者４５が購入したい商品がある場合には、番号入力部２２によって商品収容陳列ケースを指定し、かつ紙幣供給部２３等を利用して決済を行う（ステップＳ４０１）。そうすると、指定情報および決済情報は上位制御装置２８を経由して錠制御装置２１に供給され、指定された商品収容陳列ケースの扉の自動施錠装置を解除して扉を開く（ステップＳ３０５）。これによって購入者４５は、ほしい商品を手に入れることができる。
【００３３】
また別のルートして、購入者４５は陳列装置１１から離れた位置に居たとしても、管理サーバ４２から提供されかつＷｅｂサーバ４１によって公開された出品情報をインターネット端末装置４６Ｂによって入手して、どの陳列装置にどのような商品が出品されているかという情報も得ることができる。
【００３４】
管理センタ４０では、上記のようなプロセスで実行される商品の出品および購入について、陳列装置１１からの通知（ステップＳ３０６）を受け、すべて履歴を記憶しておく（ステップＳ２０８）。なお、陳列装置１１に出品が行われた後、一定期間の間陳列され、購入者が現われないときには、出品者への引取り通知を送信する。さらに、それから一定期間の間に出品者によって引取りが行われないときには、処分がなされる。
【００３５】
販売が行われた商品に関しては、精算処理が行われ（ステップＳ２０９）、販売金額から所定金額を減じた金額が出品者４４に送金される（ステップＳ２１０）。精算処理では、販売金額から、日数に応じた棚使用料、または販売金額に対する一定割合の金額が減額される。
【００３６】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００３７】
本発明は、店舗および接客要員を必要とせず、非常に簡便な無人フリーマーケットとして利用される。
【図面の簡単な説明】
【００３８】
【図１】本発明に係る無人フリーマーケットシステムの代表的な実施形態を示す全体構成図である。
【図２】本実施形態の陳列装置の内部構成を示すブロック図である。
【図３】本実施形態に係る無人フリーマーケットシステムの全体動作を説明するフローチャートである。
【符号の説明】
【００３９】
１１              陳列装置
１２ａ〜１２ｇ    商品収容陳列ケース
１３ａ〜１３ｇ    扉
１４ａ〜１４ｇ    自動施錠装置
４０              管理センタ
４１              Ｗｅｂサーバ
４２              管理サーバ
４４              出品者（出品希望者）
４５              購入者（購入希望者）
【図１】
2007011510.tif 000003
【図２】
2007011510.tif 000004
【図３】
2007011510.tif 000005